Podtech/llm-jp-corpus-v4-ja_patent huggingface dataset:
(57)【要約】      （修正有）【課題】念珠に備えられる房を構成する組紐に微生物が繁殖することを防止し、房にカビが発生したり、変色したりすることのない念珠を提供する。【解決手段】複数の珠３の紐孔に紐を挿通し、紐の両端を親珠２の紐孔に挿通して環状に連結するとともに、親珠２の位置に房４を取り付けた念珠１において、房４を構成する組紐４１に抗菌処理が施された組紐を用いる。【選択図】図１
0003235371.tif 000002
【実用新案登録請求の範囲】
【請求項１】
複数の珠の紐孔に紐を挿通し、紐の両端を親珠の紐孔に挿通して環状に連結するとともに、親珠の位置に房を取り付けた念珠において、前記房を構成する組紐に抗菌処理が施された組紐を用いてなることを特徴とする念珠。
【考案の詳細な説明】
【技術分野】
【０００１】
本考案は、念珠に関し、特に、房を備えた念珠に関するものである。
【背景技術】
【０００２】
複数の珠の紐孔に紐を挿通し、紐の両端を親珠の紐孔に挿通して環状に連結するとともに、親珠の位置に房を取り付けた念珠が一般に用いられている。
【０００３】
ところで、念珠は、葬儀や仏事に使用するとき以外は、仏壇やタンスの引き出し等に入れて保管される。
そして、念珠を保管する際、汚れがあれば、珠の部分は拭うことができるが、房の部分をクリーニングすることは困難であった。
【０００４】
このため、保管中に、念珠に備えられる房を構成する組紐に微生物が繁殖し、カビが発生したり、変色したりすることがあった。
【考案の概要】
【考案が解決しようとする課題】
【０００５】
本考案は、上記念珠の有する問題点に鑑み、念珠に備えられる房を構成する組紐に微生物が繁殖することを防止し、房にカビが発生したり、変色したりすることのない念珠を提供することを目的とする。
【課題を解決するための手段】
【０００６】
上記目的を達成するため、本考案の念珠は、複数の珠の紐孔に紐を挿通し、紐の両端を親珠の紐孔に挿通して環状に連結するとともに、親珠の位置に房を取り付けた念珠において、前記房を構成する組紐に抗菌処理が施された組紐を用いてなることを特徴とする。
【考案の効果】
【０００７】
本考案の念珠によれば、房を構成する組紐に抗菌処理が施された組紐を用いてなるようにすることにより、念珠に備えられる房を構成する組紐に微生物が繁殖することを防止し、房にカビが発生したり、変色したりすることを未然に防止することができる。
【図面の簡単な説明】
【０００８】
【図１】本考案の念珠の一実施例を示す説明図である。
【図２】防カビ試験の試験結果を示す写真である。
【考案を実施するための形態】
【０００９】
以下、本考案の念珠の実施の形態を、図面に基づいて説明する。
【００１０】
図１に、本考案の念珠の一実施例を示す。
この念珠は、複数の珠３の紐孔に紐を挿通し、紐の両端を親珠２の紐孔に挿通して環状に連結するとともに、親珠２の位置に房４を取り付けた念珠１において、房４を構成する組紐４１に抗菌処理が施された組紐を用いるようにしている。
【００１１】
ここで、組紐４１の繊維には、絹やレーヨンを好適に用いることができる。
【００１２】
組紐４１に抗菌処理を施す場合、抗菌作用を長期間に亘って維持することができるように、房４に形成する前の組紐に抗菌処理を施すようにする。
以下、具体的な抗菌処理の一例を記載する。
【００１３】
［抗菌処理条件］
・繊維：絹、組紐（房）
・処理機：綛染機
・浴比：１：１６（糸５ｋｇ、常温水８０Ｌ）
・使用薬剤：抗菌剤（アモルデン（登録商標）ＨＳ（大和化学工業社製））５ｇ／Ｌ（４００ｇ）、硬仕上げ加工剤（酢酸ビニル）１．２５％ｓｏｌ（１Ｌ）
【００１４】
［抗菌処理工程］
（１）染色
（２）湯洗及び水洗後、上記使用薬剤を入れ、２分間処理
（３）脱水（脱水後の重量１０ｋｇ、絞り率１００％）、乾燥
【００１５】
上記抗菌処理を施した組紐（加工）と抗菌処理を施していない組紐（未加工）を用いて、防カビ試験を行った。
防カビ試験の試験方法を以下に示す。
【００１６】
［試験方法］
・JIS Z 29112018 カビ抵抗性試験方法に基づく。
［供試カビ］
・JIS Z 2911 カビ抵抗性試験 繊維試験指定繊維徽
Aspergillus niger NBRC 105649
Penicillium citrinum NBRC 6352
Chaetomium globosum NBRC 6347
Myrothecium verrucaria NBRC 6113
以上４種の混合
［判定方法］
・JIS Z 2911 カビ抵抗性試験 表示方法による。
０：試料又は試験片の接種した部分に菌糸の発育が認められない。
右側の数値は発育阻止巾のｍｍ数
１：試料又は試験片の接種した部分に認められる
菌糸の発育部分の面積は全面積の１／３を超えない。
２：試料又は試験片の接種した部分に認められる。
菌糸の発育部分の面積は全面積の１／３を超える。
【００１７】
防カビ試験の試験結果を表１及び図２に示す。
【００１８】
【表１】
0003235371.tif 000003
【００１９】
以上の防カビ試験により、組紐に上記抗菌処理を施すことにより、組紐に微生物が繁殖することを防止できることを確認した。
そして、念珠１に備えられる房４を構成する組紐４１に、この安全な抗菌剤を使用して抗菌処理を施した組紐を用いることにより、房４にカビが発生したり、変色したりすることを未然に防止することができる。
【００２０】
以上、本考案の念珠について、その実施例に基づいて説明したが、本考案は上記実施例に記載した構成に限定されるものではなく、その趣旨を逸脱しない範囲において適宜その構成を変更することができるものである。
【産業上の利用可能性】
【００２１】
本考案の念珠は、念珠に備えられる房を構成する組紐に微生物が繁殖することを防止し、房にカビが発生したり、変色したりすることがないという特性を有していることから、親珠の位置に房を取り付けた念珠に好適に用いることができる。
【符号の説明】
【００２２】
１  念珠
２  親珠
３  珠
４  房
４１  組紐
【図１】
0003235371.tif 000004
【図２】
0003235371.tif 000005
(57)【要約】      （修正有）【課題】会食時のマスク着用を促し、感染症蔓延予防を目的とする衛生マスクを提供する。【解決手段】布製マスク２枚を使用し、それぞれを固定側、可動側とし、片側を縫い合わせ開閉可能とし、面ファスナーで、もう片方の開閉部分を固定、解放する仕組みを作った。【選択図】図３
0003235319.tif 000002
【実用新案登録請求の範囲】
【請求項１】
布製マスク２枚を使用し、それぞれを固定側、可動側とし、片側を縫い合わせ開閉可能とし、面ファスナー（商品名マジックテープ）で、もう片方の開閉部分を固定、解放する仕組みを作った衛生マスク。
【考案の詳細な説明】
【技術分野】
【０００１】  本考案は布製マスク２枚を加工、縫い合わせ、開閉可能にした衛生マスクである。
【背景技術】
【０００２】  新型コロナウイルス蔓延の原因の中で最大の問題のひとつが会食時の口からの飛沫拡散である。食事中にもマスク着用を推奨されているが外してしまう人は多く、対応策として口に食べ物を運ぶ時だけマスクの片側の紐を外す行動が考えられるが手の動きが大きく、片方の耳に掛ったマスクは不安定で普及しない。マスクを口から顎へ移動させるという動作も行われているが顔に付着した細菌類が直接口に入ってしまう可能性が有り不衛生である。
【考案の概要】
【考案が解決しようとする課題】
【０００３】  会食中のマスク装着を推進し、食べ物を口に運ぶ時だけマスクを外す面倒な動作を自然に出来るようにしたい。
【課題を解決するための手段】
【０００４】  本考案は、固定側マスクの鼻から口に当たる部分を切断し、左端に面ファスナーループ側（細かい面）を縫い付ける。可動側マスクの両側の紐を切断し左端裏に面ファスナーフック側（荒い面）を縫い付け、右端を固定側マスクの右側に縫い合わせる。固定側マスクの紐を両耳に掛け、下部を顎に掛け、左手指で可動側マスクの右端をつまみ、面ファスナーを外して使用する。
【考案の効果】
【０００５】  短い動作で開閉が出来て、口、鼻が露出する時間が減った。前考案では固定側マスクの一部が鼻に掛かり違和感、外見上の問題が有ったが、顎に移る事により解消され、面ファスナーによる解放、固定で腕の移動距離が減った。
【図面の簡単な説明】
【０００６】
【図１】一般的なアジャスター付き布製マスクの鼻から口の部分を切断し、面ファスナーを縫い付けた固定側マスクの正面図。
【図２】可動側マスクの両側の紐を切断し、面ファスナーを左端裏に縫い付けた正面図。
【図３】固定側マスクと可動側マスクを縫い合わせた正面図。布製マスクは立体構造なので、固定側マスクは中央が切り取られ拡がる。
【図４】装着する状態にした正面図。
【図５】マスクを装着し、食事する時のイメージ。
【考案を実施するための形態】
【０００７】  固定側マスクと可動側マスクを面ファスナーで固定し、左右の紐を耳に掛け、アジャスターで調整しマスクが頬を覆う様に装着する。左手親指と人差し指で可動側マスクの右端をつまみ、残り３本の指で頬を押し、面ファスナーを外し開け、右手で食べ物、飲み物を口に入れ直ぐに閉じ、面ファスナーを圧着する。
【実施例】
【０００８】  以下、添付図面に従って一実施例を説明する。［図１］は土台となる固定側マスク。鼻から口に当たる部分を切断し、左端に面ファスナーループ側を縫い付けている。［図２］可動側マスクの両側の紐を切断し、左端裏に面ファスナーフック側を縫い付けている。面ファスナーの接着力は強いのでフック側は小さくする。［図３］固定側マスクと可動側マスクの右側で重なる部分を縫い合わせた状態。固定側マスクの鼻から口に当たる立体部分を切断したため開いている。
本考案は右利きを想定しているが［図１］の面ファスナーの位置、［図２］の面ファスナーの位置、［図３］の接合部分を左右反対にすれば左利き用にする事も可能である。
【図１】
0003235319.tif 000003
【図２】
0003235319.tif 000004
【図３】
0003235319.tif 000005
【図４】
0003235319.tif 000006
【図５】
0003235319.tif 000007
【手続補正書】
【提出日】令和3年9月10日(2021.9.10)
【手続補正１】
【補正対象書類名】実用新案登録請求の範囲
【補正対象項目名】全文
【補正方法】変更
【補正の内容】
【実用新案登録請求の範囲】
【請求項１】
布製マスク２枚を使用し、それぞれを固定側、可動側とし、片側を縫い合わせ開閉可能とし、面ファスナーで、もう片方の開閉部分を固定、解放する仕組みを作った衛生マスク。
(57)【要約】      （修正有）【課題】東日本大震災及び近年激甚災害が頻発していることに鑑み、この様な大災害から生命身体等を守り生還することを目的とした自主防災設備であり、地震、津波、台風、洪水、高潮、土石流、雷、竜巻、暴風雪、火災、放射能、等々の災害で、行き場の無い不安を感じた時及び１分１秒を争う場合の緊急避難場所としての安全安心を提供する設備であり、長期避難生活も可能なエレベータシステム型災害用緊急避難設備を提供する。【解決手段】住居、事業所等に新設又は増設して災害を回避する、水に浮き装甲性能を有するエレベータシステム型災害用緊急避難設備であり、柱、ラチスタワー、トラスタワー１１等の柱状部材にガイドレールを設け、災害用緊急避難カプセル３の四隅に設けられた滑車が柱状部材に設けられたガイドレールを滑ることによりカプセル３がスムーズに上下移動できる。非常用電源、非常用冷暖房等の非常用設備を有する構造とし、多種の災害に対応出来る。【選択図】図７
0003235317.tif 000002
【実用新案登録請求の範囲】
【請求項１】
柱、ラチスタワー、トラスタワー等にガイドレールを設けることで、津波時、大津波時、洪水時、大洪水時、高潮時、土石流時には装甲性能及び水密性能を有する災害用緊急避難カプセルの浮力により前記カプセルが上下することで、前記カプセル及び人命等の安全安心を確保することを特徴とする、原則として前記カプセルが柱、ラチスタワー、トラスタワー等から流出しないエレベーターシステム型災害用緊急避難設備。
【考案の詳細な説明】
【技術分野】
【０００１】本考案は災害用緊急避難設備に関する。
【背景技術】
【０００２】現在出願されているものでは東日本大震災及び近年の激甚災害において実用性に欠しいので実際に普及出来る実用的な物とする。
【先行技術文献】
【０００３】
【特許文献１】特開２０１８−０７１３４６号
【実用新案文献１】
実開平０７−０１６８６１号
【考案の概要】
【考案が解決しようとする課題】
【０００４】東日本大震災及び近年の激甚災害にも耐え生還出来る構造、方法を用いた設備とする。
【課題を解決するための手段】
【０００５】上記［特許文献１］［実用新案文献１］の問題点を改良することにより、建築確認申請が下りる様にする。このことにより前記文献に実用性、進歩性を付加し実際上産業として利用できるようにしたものを図１−７に示す。
【考案の効果】
【０００６】人類の生存に寄与する。
【図面の簡単な説明】
【０００７】
【図１】災害用緊急避難設備の平面図である。
【図２】比較的洪水高、津波高が低い場合の設備の斜視図である。
【図３】洪水高、津波高が中ぐらいの場合の設備の斜視図である。
【図４】比較的洪水高、津波高が高い場合でラチスタワーを用いた設備の斜視図である。
【図５】比較的洪水高、津波高が低い場合で柱と梁を用いた設備の正面図及び側面図である。
【図６】避難カプセルを２階以上に設置した場合で柱と梁を用いた設備の正面図及び側面図である。
【図７】比較的洪水高、津波高が高い場合でトラスタワーを用いた設備の正面図及び側面図である。
【考案を実施するための形態】
【０００８】なるべく早く秒単位で乗り込める構造とする。クレーン等での移動・避難が簡単である。また本設備の新増設に当たっては、新設部分、増設部分及び既存部分が建築基準法に抵触しない様にする。尚洪水高、津波高等はハザードマップ等を参考とし、災害用緊急避難カプセルが流出しないように柱高を設計する。また運搬時には道路交通法に抵触しない様にする。
【実施例】
【０００９】図１−７は洪水高、津波高に応じた実施例の図である。また使用するカプセルの大きさに応じた基礎、柱、梁等の部材を構造計算で求め設計する。
【符号の説明】
【００１０】１    柱
２    ガイドレール（２例を示す）
３    水に浮き装甲性能を有する災害用緊急避難カプセル
４    そろばん型滑車（２４箇所）
５    鉄筋コンクリート製基礎
６    梁
７    ラチスタワー
８    既存建物
９    駐車スペース
１０  沈没防止用オプションフロート
１１  トラスタワー
１２  吊り上げ用トラッククレーン
１３  ｈ：カプセルの高さ
１４  Ｈ：避難設備の高さ（Ｈ＝ＷＬ＋ｈ  程度）
１５  ＷＬ：ハザードマップ等による洪水高、津波高
【図１】
0003235317.tif 000003
【図２】
0003235317.tif 000004
【図３】
0003235317.tif 000005
【図４】
0003235317.tif 000006
【図５】
0003235317.tif 000007
【図６】
0003235317.tif 000008
【図７】
0003235317.tif 000009
【手続補正書】
【提出日】令和3年9月1日(2021.9.1)
【手続補正１】
【補正対象書類名】実用新案登録請求の範囲
【補正対象項目名】全文
【補正方法】変更
【補正の内容】
【実用新案登録請求の範囲】
【請求項１】
柱、ラチスタワー、トラスタワー等の柱状部材にガイドレールを設け、災害用緊急避難カプセルの四隅に設けられた滑車が柱状部材に設けられたガイドレールを滑ることにより前記カプセルのスムーズな上下移動が可能となり、津波時、大津波時、洪水時、大洪水時、高潮時、土石流時には装甲性能及び水密性能を有する前記カプセルの浮力により前記カプセルが上下することで、前記カプセル及び人命等の安全安心を確保することを特徴とし、原則として前記カプセルが柱、ラチスタワー、トラスタワー等の柱状部材に設けられたガイドレールから流出しないエレベーターシステム型災害用緊急避難設備。
(57)【要約】      （修正有）【課題】停車時に自動車座席を後方に向けて座り、後席に座る人とのコミュニケーションをはかることができる装置を提供する。【解決手段】自動車座席の背もたれ背面に、着席可能な座面本体２、背もたれ本体１、及び、座面本体と背もたれ本体の接続布３、を有する取り外し式のマットを装着し、さらに、背もたれ本体の背面に背もたれ本体を固定するための板６を備え、自動車座席背もたれを前方に倒すことにより、停車時に後方向きに座れるようにする。【選択図】図１
0003235318.tif 000002
【実用新案登録請求の範囲】
【請求項１】
シート背面に人が座るための背もたれと座面を設置し、背面向けに座ることを可能にする装置
【考案の詳細な説明】
【技術分野】
【０００１】自動車座席の背面に座るための背もたれと座面を取付けて、後方にむけて座ることを可能にするものである。
【背景技術】
【０００２】停車時に自動車の座席を使用し後方に向きに座るためには、シート自体を回転させる必要があったが、複雑な機構が必要なため費用と改造が必要だった。
【考案の概要】
【考案が解決しようとする課題】
【０００３】停車時に自動車の座席を後方に向きに座り、後席に座る人とのコミュニケーションをはかる。
【考案が解決しようとする手段】
【０００４】自動車座席の背もたれ背面に着席可能な取り外し式のマットを装着し、自動車座席背もたれを前方に倒すことにより、停車時に後方向きに座れるようにする。
【考案の効果】
【０００５】大きな改造をすることなく、後方に向きに座ることができる。
【図面の簡単な説明】
【０００６】
【図１】本考案の背もたれと座面と自動車座席の側面図と接続方法である。
【図２】本考案の背もたれを自動車座席に接続し、展開した図である。
【図３】本考案の背もたれを自動車座席に接続し、収納した図である。
【考案を実施するための形態】
【０００７】自動車座席背もたれの背面に固定された本考案の背もたれと座面を、自動車座席後方に展開することにより、容易に後ろ方向に座れるようになる。
【実施例】
【０００８】添付図面に沿って説明する。自動車座席の後方にある袋状の物入れに、本考案背もたれの板６を差し込み固定する。自動車座席に装備されたへッドレストを保持する棒を、本考案背もたれの３の穴に通し、ヘッドレストを自動車座席に固定する。座面２を自動車座席後方に展開し、後ろ向きに座る椅子状の着席スペースを設ける。【０００９】自動車座席を通常使用するときは、座面２を畳んで座面を背もたれに畳むための布３で固定する。
【符号の説明】１  背もたれ本体
２  座面本体
３  背もたれと座面を接続する布
４  座面を背もたれに畳むための布
４ａ  座面を背もたれに畳むための布につけるマジックテープ
５  背もたれを座席ヘッドレストに固定するための穴あけ布
６  背もたれを自動車座席背面のポケットに差し込み固定するため板
【図１】
0003235318.tif 000003
【図２】
0003235318.tif 000004
【図３】
0003235318.tif 000005
【図４】
0003235318.tif 000006
【手続補正書】
【提出日】令和3年8月2日(2021.8.2)
【手続補正１】
【補正対象書類名】明細書
【補正対象項目名】全文
【補正方法】変更
【補正の内容】
【考案の詳細な説明】
【技術分野】
【０００１】自動車座席の背面に座るための背もたれと座面を取り付けて、後方にむけて座ることを可能にするためのものである。
【背景技術】
【０００２】停車時に自動車の座席を使用し後方に向きに座りためには、シート自体を回転させる必要があったが、複雑な機構が必要なため費用と改造が必要だった。
【考案の概要】
【考案が解決しようとする課題】
【０００３】停車時に自動車の座席を後方向きに座り、後席に座る人とのコミュニケーションをはかる。
【事案が解決しようとする手段】
【０００４】自動車座席の背もたれ背面に着席可能な取り外し式のマットを装着し、自動車座席の背もたれを前方に倒すことにより、停車時に後方向きに座れるようにする。
【考案の効果】
【０００５】大きな改造をすることなく、後方向きに座ることができる。
【図面の簡単な説明】
【０００６】
【図１】本考案の背もたれと座面と自動車座席の側面図と接続方法である。
【図２】本考案の背もたれを自動車座席に接続し、展開した図である。
【図３】本考案の背もたれを自動車座席に接続し、収納した図である。
【図４】本考案の背もたれを背面から見た図である。
【考案を実施するための形態】
【０００７】自動車座席の背もたれの背面に固定された本考案の背もたれ座面を、自動車座席後方に展開することにより、容易に後ろ方向に座れるようにする。
【実施例】
【０００８】添付画面に沿って説明する。自動車座席後方にある袋状の物入れに、本考案の背もたれの板６を差し込み固定する。自動車座席の装備されたヘッドレストを保持する棒を、本考案背もたれの３の穴に通し、ヘッドレストを自動車座席に固定する。座面２を自動車座席後方に展開し、後ろ向きに座る椅子状の着席スペースを設ける。【０００９】自動車座席として使用するときには。座面２を畳んで、座面と背もたれを固定するための布４で固定する。
【符号の説明】１．背もたれ本体
２．座面本体
３．座面と背もたれを接続する布
４．座面を背もたれに畳むための布
４ａ．座面と背もたれを畳むための布につけるマジックテープ
５．背もたれを座席ヘッドレストに固定するための穴あけ布
６．背もたれを自動車座席背面のポケット差し込んで固定するための板
【手続補正２】
【補正対象書類名】実用新案登録請求の範囲
【補正対象項目名】全文
【補正方法】変更
【補正の内容】
【実用新案登録請求の範囲】
【請求項１】
シート背面に人が座るための背もたれと座面を設置し、背面向けに座ることを可能にする装置
【手続補正書】
【提出日】令和3年10月12日(2021.10.12)
【手続補正１】
【補正対象書類名】手続補正書
【補正対象項目名】手続補正２
【補正方法】削除
【補正の内容】
(57)【要約】      （修正有）【課題】排水トラップの中の砂詰まりや、ゴミカゴと排水蓋の紛失を防止する幼児用手洗い台を提供する。【解決手段】幼児用手洗い台は、深型の排水トラップ３１とその中にはめ込まれたゴミカゴ３２と、ゴミカゴ３２の上に被せる排水蓋３３を備え、砂を流してもゴミカゴ３２で砂を受けて、排水トラップ３１の砂詰まりを防止する。【選択図】図２
0003232380.tif 000002
【実用新案登録請求の範囲】
【請求項１】
深型の排水トラップとその中にはめ込まれたゴミカゴと、ゴミカゴの上に被せる排水蓋を備え、砂を流してもゴミカゴで砂を受けて、排水トラップの砂詰まりを防止するようにしたことを特徴とした幼児用手洗い台。
【請求項２】
ゴミカゴと排水蓋にチェーンを付け、手洗い台に接続して紛失を防止するようにしたことを特徴とする請求項１記載の幼児用手洗い台。
【考案の詳細な説明】
【技術分野】
【０００１】本考案は幼児用手洗い台に関する。
【背景技術】
【０００２】園児のいたずらで手洗いの中に砂、おもちゃ、粘土などを流すため排水口が頻繁に詰まる。
【先行技術文献】
【特許文献】
【０００３】
【特許文献１】特開平７−１３３６２２公報
【考案の概要】
【考案が解決しようとする課題】
【０００４】従来の手洗いは園児が砂、おもちゃ、粘土などを流すため排水口が頻繁に詰まりやすく、修理に手間と費用がかかる。また排水トラップの中のステンレス製ゴミカゴと排水蓋は園児のいたずらでよく紛失する。
【課題を解決するための手段】
【０００５】深型の排水トラップとその中にはめ込まれたゴミカゴと、ゴミカゴの上に被せる排水蓋を備え、砂を流してもゴミカゴで砂を受けて、排水トラップの砂詰まりを防止するようにしたことを特徴とした幼児用手洗い台。【０００６】ゴミカゴと排水蓋にチェーンを付け、手洗い台に接続して紛失を防止するようにしたことを特徴とする請求項１記載の幼児用手洗い台。
【考案の効果】
【０００７】保育士はステンレス製ゴミカゴの中に入った砂、おもちゃ、粘土などを取り出して清掃すればよいので、排水パイプの詰まりが防止できて、修理に手間と費用がかからなくなった。またステンレスチェーンで固定したため紛失の心配がなくなった。
【図面の簡単な説明】
【０００８】
【図１】幼児用手洗い台の構成（斜視図）
【図２】幼児用手洗い台の構成（断面図）
【考案を実施するための形態】
【０００９】図１は本考案の幼児用手洗い台の構成（斜視図）である。
幼児用の手洗い台１は、手洗い１１、膳板１２、側立上り板１３、蛇口１４、からなり、ステンレス製で角の部分を危険防止のため曲げ加工を施している。
架台部分２は、前板２１、側板２２、蹴込板２３、ビス２４、からなり排水パイプ部分のメンテナンスのため、ビスをはずし点検ができるようになっている。
【００１０】図２は本考案の幼児用手洗い台の構成（断面図）を示す。
手洗い１１の部分に、排水トラップ３１、ゴミカゴ３２、排水蓋３３、チェーン３４、わんトラップ３５、が取り付けられている。
トラップの中のゴミカゴには園児のいたずらによる砂、おもちゃ、粘土などが入っていて、保育士はこのかごを清掃することにより排水パイプの詰まりが防止できる。
ゴミカゴ３２と排水蓋３３、の紛失を防止するためこれらをチェーン３４、で、手洗い台１１、に接合する。
【産業上の利用可能性】
【００１１】排水パイプの詰まりをなくし、ゴミカゴと排水蓋の紛失を防ぐ幼児用手洗い台を提供する。
【符号の説明】
【００１２】１  手洗い本体
１１  手洗い
１２  膳板
１３  側立上板
１４  蛇口
２  架台部分
２１  前板
２２  側板
２３  蹴込板
２４  ビス
３  排水部分
３１  排水トラップ
３２  ゴミカゴ
３３  排水蓋
３４  チェーン
３５  わんトラップ
４  手洗い台
５  砂
【図１】
0003232380.tif 000003
【図２】
0003232380.tif 000004
(57)【要約】      （修正有）【課題】ゴミの投入が容易なゴミ容器を提供する。【解決手段】ゴミ容器の上部に装着する立体的なゴミ投入部位１を設け、その奥にゴミ反射板２を設け、又前部にゴミ受け板３を設ける。【選択図】図１
0003232379.tif 000002
【実用新案登録請求の範囲】
【請求項１】
ゴミ容器本体上部に装着する立体的なゴミ投入部位を設け、当該ゴミ投入部位の奥部にゴミ反射板を設ける、当該ゴミ投入部位の前部にゴミ受け板を設け、ゴミの投入を容易にしたこと特徴とするゴミ容器。
【考案の詳細な説明】
【技術分野】
【０００１】  本考案は、ゴミ容器の上部にゴミ反射板とゴミ受け板を設けた、ゴミ容器に関するものである。
【背景技術】
【０００２】ゴミを容器に捨てる際に上部から入れたり、蓋を取って入れていた。
【考案の概要】
【考案が解決しようとする課題】
【０００３】  ゴミ容器は近くに行って入れないと容器から外してしまうこと事があった。
又、すこし離れた所から投げたりすると外す事が多かった。
この欠点を解決しようとするものである。
【課題を解決するための手段】本考案は、ゴミ容器本体に立体的なゴミ投入部位を設け、当該ゴミ投入部位の奥部に反射板を設け、又当該ゴミ投入部位の前部にゴミ受け板を設け、反射板とゴミ受け板は連結させる、それで問題点を解決する。
【考案の効果】
【０００４】  上述の様に、本考案は、家庭内でチリ紙等小さなゴミの投入も入る確率が大きい、又車椅子からの投入も確率が高い。
【図面の簡単な説明】
【０００５】
【図１】本考案のゴミ容器の上部に乗せるゴミ投入部位の斜視図
【図２】ゴミ容器とゴミ投入部位の合体の斜視図
【考案を実施するための形態】
家庭で使用されている小型のゴミ容器は上面が円形、四角形、楕円形等色々な形態がある。上部の投入面積では少し離れると入る確率が低くなる、そこで、本考案の様なゴミ投入部位を取り付ける事により入る確率が高くなる、反射板、受け板、は低くしたり長くしたり、円形、四角形、楕円形等様々な容器に合わせて作る事が出来る。
【実施例】
【０００６】  以下、添付図面に従って実施例を説明する。１ゴミ投入部位の下部は５ゴミ容器の円周より僅かに狭くする、５ゴミ容器は上部が広くなっているので、４挿入部分が挿入することにより装置が安定する。２ゴミ反射板が広い程ゴミの入りがよい、又４ゴミ受け板が広い程ゴミの入りがよい。
【符号の説明】
【０００７】  １  ゴミ投入部位
２  ゴミ反射板
３  ゴミ受け板
４  挿入部分
５  ゴミ容器
【図１】
0003232379.tif 000003
【図２】
0003232379.tif 000004
(57)【要約】      （修正有）【課題】乳幼児の夜泣きなどで、世話をする側が受けるイライラや寝不足などによるストレスを和らげる浮き床寝具台を提供する。【解決手段】コイルバネ５の一端を柱１に固定し、他方は、床４に連結して柱１から吊り下げる状態で浮かし、又、回転軸に偏芯ウェ―トを圧入した電動モ―タ―６を床４に取り付けて回転させるとアンバランスに成って、その結果、床４に振動と雑音を発生させる。【選択図】図３
0003232376.tif 000002
【実用新案登録請求の範囲】
【請求項１】
浮かせた床をモ―タ―のアンバランスな回転で振動と雑音を発生させる寝具台
【考案の詳細な説明】
【技術分野】
【０００１】  本考案は、寝具台の床を浮かせて振動と雑音を発生させる物である。
【背景技術】
【０００２】  寝具台の床は、寝具台と一体となっているのが一般的である。
【先行技術文献】
【考案文献】
【０００３】
【考案の概要】
【考案が解決しようとする課題】
【０００４】  乳幼児の夜泣きなどで、世話をする側のイライラや寝不足などが重なりストレスが蓄積されて健康が害されている。
本考案は、乳幼児の夜泣きなどの軽減を図るとした物である。
【課題を解決する為の手段】
【０００５】  本来、寝具台と一体となっている「床」を寝具台本体と切り離して「コイルバネ」などで浮かせて動くようにしたものである。
【考案の効果】
【０００６】  胎児は、母親の体内で心地よい振動と雑音の刺激の中でスクスクと生育するが、産まれると同時にその振動と雑音の刺激が無くなり環境が大きく変化する。
その為、馴れない環境に馴染めず泣いてしまう。
本考案は、体内で受け感じ続ずけた心地よい振動や雑音の刺激に似せた振動や雑音を「浮き床」に発生させて寝ている乳幼児に伝え感じさせてあげる効果がある。
【図面の簡単な説明】
【０００７】
【図１】  平面図    （１）
【図２】  平面図    （２）
【図３】  Ａ―Ａ断面図
【図４】  モ−タ−とウェイトの側面図（図３の６を拡大）
【図５】  モ−タ−とウェイトの正面図（図３の６を拡大）  図３のモ―タ―は下向きだが、図４、図５のモ―タ―はあえて、上向きの正常位に記しました。また、図２、図３は、浮き床４をコイルバネ５で吊り下げられているものを示す。
【考案を実施する為の形態】
【０００８】  本考案を実施する為の形態について説明する。
図１，において本体の柱１と枠２に囲まれた中に床３があり、１と２に固定である。
又、３の中央部は「空間」１０と成っている。
図２、図３には、１と２に固定の３の上部に浮き床４がありコイルバネ５などで１の都合の良い複数の位置から吊り下げられ、或いは、床３と床４との間にコイルバネなどを複数の都合よい位置に設置して浮かせていている。
図３に示す４にはモ−タ−６が取り付いており、図４、図５において、６と回転軸７、及び、７と一体の偏芯ウェイト８がある。
６を回転させると、８はアンバランスに回転し振動を発生させる。
振動は４に伝わり４から寝ている乳幼児に伝わって乳幼児は母親の体内で受け続けた心地よい振動や雑音の刺激に似せた振動や雑音の刺激を感じることが出来きる。
振動は「コイルバネ」５などにより吸収されて本体には伝わらない。
また、雑音はモ−タ−の回転や浮き床の揺れにより自然に発生する。
浮き床４はコイルバネ５を外せば通常の寝具台として使用できる。
【符号の説明】
【０００９】１  ―  柱              ２  ―  枠              ３  ―  床
４  ―  浮き床          ５  ―  コイルバネ      ６  ―  モ−タ−
７  ―  回転軸          ８  ―  ウェイト        ９  ―  カ−バ−
１０―  「空間」
【図１】
0003232376.tif 000003
【図２】
0003232376.tif 000004
【図３】
0003232376.tif 000005
【図４】
0003232376.tif 000006
【図５】
0003232376.tif 000007
【手続補正書】
【提出日】令和3年2月10日(2021.2.10)
【手続補正１】
【補正対象書類名】実用新案登録請求の範囲
【補正対象項目名】全文
【補正方法】変更
【補正の内容】
【実用新案登録請求の範囲】
【請求項１】
コイルバネ５の一端を柱１に固定し、他方は、床４に連結して柱１から吊り下げる状態で浮かし、又、回転軸７に偏芯ウェ―ト８を圧入した電動モ―タ―６を床４に取り付けて回転させるとアンバランスに成ってその結果、床４に振動と雑音を発生させて成る浮き床寝具台。
(57)【要約】      （修正有）【課題】足場設置を行う時に外壁面に設置する足場つなぎによるタイル損傷を可能な限り減少させるとともに、足場解体時のタイル張替えの必要を無くし、タイルの張替えを減少させ、開放廊下やベランダが設置されている部分の事前施工を行うことにより、安全性を確保することができ、事前施工された部分は足場解体後においても補修が可能である足場つなぎ連結補助金物を提供する。【解決手段】足場つなぎ連結補助金物は、足場つなぎ７をコンクリート構造体５のあらゆる面に緊結させるために、コンクリート構造体５に設置アンカー６に接続する雄ねじ２と、足場つなぎ７を連結させる雌ねじ４を設けた雌ねじ管３を直角に接合する。連結補助金物により足場つなぎ７を緊結する。【選択図】図１
0003232377.tif 000002
【実用新案登録請求の範囲】
【請求項１】
足場つなぎをコンクリート構造体に緊結させる連結補助金物
【考案の詳細な説明】
【技術分野】
【０００１】
本考案は、足場つなぎをコンクリート構造物のあらゆる面に緊結させる連結補助金物である。
【背景技術】
【０００２】
外壁にタイル張りを施工した建物の改修を行う時に足場つなぎ金物により外壁面に足場を緊結させていたが、タイルを損傷するため、足場の解体時に同時にタイル張りを復旧させなくてはならず困難を生じていた。  
【先行技術文献】
【特許文献】
【０００３】
【特許文献１】特開２００３−２４７３４１
【特許文献２】特開平０８−１００５２０
【特許文献３】実全平０３−０１４２４６
【特許文献４】実全平０２−０６８９６１
【考案の概要】
【考案が解決しようとする課題】
【０００４】
足場設置を行う時に足場つなぎによるタイル損傷を可能な限り減少させるとともに、タイルの張替えを減少させ、開放廊下やベランダが設置されている部分の事前施工を行うことにより、施工の安全性を確保するものである。
【課題を解決するための手段】
【０００５】
本考案は、足場つなぎをコンクリート構造体のあらゆる面に緊結させるために、構造体にアンカーを設置し、足場つなぎを連結させる雌ねじを設けた連結補助金物により足場つなぎを緊結するものである。
【考案の効果】
【０００６】
足場設置を行う時に外壁面に設置する足場つなぎによるタイル損傷を可能な限り減少させるとともに、足場解体時のタイル張替えの必要を無くし、タイルの張替えを減少させるものであり、開放廊下やベランダが設置されている部分の事前施工を行うことにより、安全性を確保することができる。
また、事前施工された部分は、足場解体後においても補修が可能である。
【図面の簡単な説明】
【０００７】
【図１】本考案の取り付け方法を示す側面図である。
【考案を実施するための形態】
【０００８】
構造体に設置したアンカーに緊結する雄ねじ部分と、足場つなぎを緊結する雌ねじ部分を一体化したものである。
【実施例１】
【０００９】
雄ねじ部分を構造体に設置したアンカーに取り付け、方向を調整した雌ねじ部分に、足場つなぎを取り付けるものである。
【産業上の利用可能性】
【００１０】
コンクリート構造体のすべての面に取り付けができ、取り付け場所によっては事前に先行施工が可能である。
【符号の説明】
【００１１】
１  連結補助金物本体
２  雄ねじ
３  雌ねじ管
４  雌ねじ
５  コンクリート構造体
６  アンカー
７  足場つなぎ
８  足場支柱
【図１】
0003232377.tif 000003
【手続補正書】
【提出日】令和3年3月31日(2021.3.31)
【手続補正１】
【補正対象書類名】実用新案登録請求の範囲
【補正対象項目名】全文
【補正方法】変更
【補正の内容】
【実用新案登録請求の範囲】
【請求項１】
コンクリート構造体に設置されたアンカーに接続する雄ねじと、足場つなぎを接続する雌ねじを切った雌ねじ管を直角に接合した足場つなぎ連結補助金物
(57)【要約】      （修正有）【課題】バイオリン指使い携帯練習器で、どこでも容易に練習可能な道具を提供する。【解決手段】バイオリンの指板部分を切り取った形にて台紙により作製した指板練習器本体１と、前記指板練習器本体の長辺方向に少し浮かした状態で設置される特殊ナイロン製の４本の弦２と、前記指板練習器本体の短辺方向の上面と側面の左手の指が押さえる位置に貼り付けられる４本のカラーテープとを備えることを特徴とするバイオリン指使い携帯練習器。【選択図】図−１
0003232301.tif 000002
【実用新案登録請求の範囲】
【請求項１】
バイオリンの指板部分（さお）を、一部を切り取った形にて、台紙（紙類）により形状を作製しました。
この作製物の使用目的は、バイオリンの指（運指）練習を、室外でのどこでも簡単に実施できる物として、作製しました。
指板部分を、超軽量化として、台紙を、使用し、安価で仕上げ、弦（ガット）を張り、実際の感触を追求しました。
【考案の詳細な説明】
【技術分野】
【０００１】  本考案は、バイオリンの一部（指板部）を、携帯モデルとしたものである。
【背景技術】
【０００２】  室外で、バイオリンの一部を、持ち出して、指練習する道具を追求したものです。
【先行技術文献】
【特許文献】
【０００３】
【特許文献１】特開平２００９−１３９９０２号  公報
【考案の概要】
【考案が解決しようとする課題】
【０００４】  当該当のウォークマンは、全部が硬質板状物で構成されており、持ち出し用としては、重量的負担である。カバーにおいては、保護と固定の役割が考えられるが、あまり必要が認められない。前述の欠点を、解決しようとするものである。
【課題を解決するための手段】
【０００５】  本考案は、携帯を追求し、安価な材料を十分考慮し、簡単に手に入る台紙を使用し、十分な軽量化を追求し、スチール弦の代用として特殊ナイロン（バトミントン用のガット）を使用し、少し本体より浮かした状態として、弦を押さえた様な感触を計った。以上のことより問題点を解決したものである。
【考案の効果】
【０００６】  上述の様に、本考案は最も軽量で、安価に製品が作製することが、でき、立体的に左手指の練習に、向上する事が可能と思われる。
【図面の簡単な説明】
【０００７】
【図１】
【考案を実施するための形態】
【０００８】  長辺方向に弦が４本（Ｇ線・Ｄ線・Ａ線・Ｅ線）が設置してあり、それと直交する短辺方向にカラーテ゜ープ４本張り付けてあり、各々が左手の指の押さえる位置（▲１▼人指し指，▲２▼中指  ▲３▼薬指  ▲４▼小指）であり、交わった点が、ドレミ音階の位置とします。
【実施例】
【０００９】  以下、添付図面に従って実施例を説明する。１は軽量化を計った画用紙（紙類）にて一体化形成された指板練習品本体、２は弦の役目とするために、特殊ナイロン（ガット）で形成された４本（Ｇ・Ｄ・Ａ  Ｅ線）の弦である。３は４本の弦を通して止め板の役目のためとして、ＥＶＡ樹脂を使った。
４は上面・側面に４本（▲１▼，▲２▼，▲３▼，▲４▼）のカラーテ゜ープを張り付けました。【００１０】  本考案の一実施例は上述の如き構成からなるものであるから、長辺方向の４本の弦と、短辺方向のカラーテープ（▲１▼〜▲４▼）が直交する位置が音階の位置であり、左手指の押さえる練習となるものである。
【符号の説明】
【００１１】１  バイオリン指使い携帯練習器本体
２、弦
３、止め板
４、カラーテープ
【図−１】
0003232301.tif 000003
【図−２】
0003232301.tif 000004
【手続補正書】
【提出日】令和3年2月3日(2021.2.3)
【手続補正１】
【補正対象書類名】実用新案登録請求の範囲
【補正対象項目名】全文
【補正方法】変更
【補正の内容】
【実用新案登録請求の範囲】
【請求項１】
バイオリンの指板部分を切り取った形にて台紙により作製した指板練習器本体と、前記指板練習器本体の長辺方向に少し浮かした状態で設置される特殊ナイロン製の４本の弦と、前記指板練習器本体の短辺方向の上面と側面の左手の指が押さえる位置に貼り付けられる４本のカラーテープとを備えることを特徴とするバイオリン指使い携帯練習器。
【手続補正２】
【補正対象書類名】明細書
【補正対象項目名】０００７
【補正方法】変更
【補正の内容】
【０００７】
【図−１】  本考案の指板練習器を示す立面図
【図−２】  本体の側面の断面図
【手続補正３】
【補正対象書類名】明細書
【補正対象項目名】０００３
【補正方法】変更
【補正の内容】
【０００３】
【特許文献１】特開２００９−１３９９０２号  公報
【手続補正４】
【補正対象書類名】明細書
【補正対象項目名】０００４
【補正方法】変更
【補正の内容】
【０００４】  当該当の弦楽器用指使い練習具は、全部が硬質板状物で構成されており、持ち出し用としては、重量的負担である。カバーにおいては、保護と固定の役割が考えられるが、あまり必要が認められない。前述の欠点を、解決しようとするものである。
(57)【要約】      （修正有）【課題】現場での配管被覆工事等で加工の容易な遮熱断熱材を提供する。【解決手段】遮熱断熱材は、平板のプラスティック製断熱材に所定の間隙で連続的に４角形状の空隙を設けた断熱板の表裏に金属製の薄箔を貼り付ける。【選択図】図１
0003232310.tif 000002
【実用新案登録請求の範囲】
【請求項１】
平板のプラスティック製断熱材に所定の間隙で連続的に４角形状の空隙を設けた断熱板の表裏に金属製の薄箔を貼り付けることを特徴とする遮熱断熱材。
【考案の詳細な説明】
【技術分野】
【０００１】  本考案は、遮熱断熱材に関するものである。
【背景技術】
【０００２】  遮熱シートは特許文献１に開示されているように、６角形状のハニカム構造を有する発泡ポリエチレンシートの表裏を金属製薄箔でサンドイッチしたものが一般的に使われている。
【先行技術文献】
【特許文献】
【０００３】
【特許文献１】
【考案の概要】
【考案が解決しようとする課題】
【０００４】  従来の６角形ハニカム構造の芯材を使った遮熱材は、機械的強度に優れている反面、配管パイプなどを覆う場合には、柔軟性のある材料で折り曲げ、切断等の作業を容易く行える素材が求められる。本考案は、現場での配管被覆工事等で加工の容易な遮熱断熱材を提供することである。
【課題を解決するための手段】
【０００５】  本考案は平板のプラスティック製断熱材に所定の間隙で連続的に４角形状の空隙を設けた断熱板の表裏に金属製の薄箔を貼り付けることを特徴とする遮熱断熱材に関する。
【考案の効果】
【０００６】  本考案は、施工現場で容易に切断、折り曲げ等の作業が簡単にできる遮熱断熱材である。
【図面の簡単な説明】
【０００７】
【図１】本考案の芯材の作成模式図である。
【考案を実施するための形態】
【０００８】  本考案に用いられる発泡性の４角形網目構造のシートの材質は、柔軟性のあるもので、パイプ等の外周に容易に巻き付けることが出来、断熱効果があるものであれば良い。一例として発泡性ポリエチレンシートが好適に用いられる。４角形の網目の大きさは、一辺が１〜４ｃｍ程度の平行四辺形、ひし形、長方形、正方形であればよい。その網目素材の表裏に金属製の箔を溶着、又は接着する。
【０００９】  表面に金属製の薄箔、例えば高純度アルミ箔シートを貼ることは、アルミの放射率が低いため、外部からの熱を内部の断熱材側へ輻射熱としての移動を遮断する効果が高くなる。
【００１０】  四角形の空隙を使うことは、単位面積当たりに占める辺の長さの合計を６角形のハニカムと比較すると４角形の方が短くなるので、空隙率は四角形の方が大きくなることから断熱効果が高くなることが期待できる。
【００１１】  ４角形の空隙の断熱材を用いることは、６角形のハニカム構造の断熱材に比べて、機械的強度は劣るが、反面折り曲げ、巻き付け、切断等の作業工程が容易にできるという利点がある。
【実施例】
【００１２】  図１に示すように厚さ１０ｍｍ、幅３００ｍｍのポリエチレンフォームに長さ６０ｍｍ、間隙５ｍｍで切り込みを入れて、幅１０００ｍｍになるように広げた。その表裏に、高純度アルミ箔シートを貼り付けて遮熱、断熱シートを作成した。本試作品は一般の断熱材より厚みが薄いので空間活用に優れている特徴を有しているうえ、素材が柔らかくて気密密閉施行ができ、窓の空隙や角の熱交換・令交換減少を遮断して結露やカビの発生を抑える効果が期待できる。従って、別途防湿層を作らなくとも本遮熱・残熱材施行で断熱性、遮熱性及び防湿性を確保できる。さらに、アルミ箔シートの遮音性とポリエチレンフォームの吸音性で防音効果も期待できる。他の断熱材と比較して同じ断熱性基準で、資材費及び施工費が安く、施工期間も短縮できるうえ、薄くて、軽くて、柔らかく、繊維の飛散もなく作業性に優れ、特に角の折れや曲り施工がし易いという特徴がある。
【産業上の利用可能性】
【００１３】  遮熱・断熱材シートして、配管の被覆工事に使用できる。
【図１】
0003232310.tif 000003
(57)【要約】      （修正有）【課題】強風時のシャッター破損及び吹き飛びを防ぐことにより被害を最小限に抑えるシャッター補強材を提供する。【解決手段】シャッター補強材は、アルミ・スチール・ステンレス材パイプを加工して製作した中パイプ２と外パイプ３とを備え、外パイプ３の中に中パイプ２を入れ、上下伸縮可能にした。シャッター上下に設けた穴に固定ピン１を差し込み、伸縮固定ピン４によりパイプ２、３を固定し、シャッターを補強する。伸縮固定ピン４により簡単に取り付け及び取り外しが可能となる。【選択図】図２
0003232303.tif 000002
【実用新案登録請求の範囲】
【請求項１】
強風によるシャッター補強。
アルミ・スチール・ステンレス材パイプの上下を加工しシャッター本体上下に穴を設け補強をする。
また、パイプの中にパイプを入れる事で伸縮可能とし固定ピンにより取り付け及び取外しを可能とする。
【考案の詳細な説明】
【技術分野】
【０００１】本考案は、シャッターの強風時に対応した補強材である。
【背景技術】
【０００２】強風時、シャッター吹き飛びなどの破損が多く、他物損及び被害にも影響。
（
【考案の概要】
【考案が解決しようとする課題】
【０００５】強風時のシャッター破損及び吹き飛びを防ぐことにより被害を最小限に抑える。
【課題を解決するための手段】
【０００６】シャッター外部上下に穴を設け補強材を立て防止する。
【考案の効果】
【０００７】シャッター本体が、補強材に支えられ破損及び被害を最小限に抑えられる。
【図面の簡単な説明】
【０００８】
【図１】補強材断面図である。
【図２】補強材正面図である。
【符号の説明】
【０００９】  ▲１▼固定用ピン
▲２▼中パイプ
▲３▼外パイプ
▲４▼伸縮固定ピン
【図１】
0003232303.tif 000003
【図２】
0003232303.tif 000004
【手続補正書】
【提出日】令和3年2月3日(2021.2.3)
【手続補正１】
【補正対象書類名】実用新案登録請求の範囲
【補正対象項目名】全文
【補正方法】変更
【補正の内容】
【実用新案登録請求の範囲】
【請求項１】
強風によるシャッター破損及び吹き飛びを防ぐシャッター補強材であって、アルミ・スチール・ステンレス材パイプの上下を加工してシャッター本体上下に設けた穴に差し込まれる固定ピンを設け、前記パイプを外パイプの中に中パイプを入れる事で伸縮可能とし、伸縮固定ピンによりシャッターへの取り付け及び取り外しを可能とするシャッター補強材。
(57)【要約】      （修正有）【課題】歯科医療において、口内法による歯のエックス線撮影をするときに、口内に異物が入ることによる違和感、不快感を紛わせ、精神的苦痛を軽減する保護材を提供する。【解決手段】歯のエックス線撮影のための記録媒体２を保護する保護材１であり、保護材１に、味又は香り、又は両方を付着又は含有させる。記録媒体保護材１を口内に入れることにより違和感、不快感は生じるが、保護材１に味、香りがあることによりそれらが軽減される。【選択図】図１
0003232306.tif 000002
【実用新案登録請求の範囲】
【請求項１】
味又は香り、又は両方を付着又は含有させた記録媒体保護材
【考案の詳細な説明】
【技術分野】
【０００１】本考案は、歯科医療における歯のエックス線撮影をするときの記録媒体の保護材に関するものである。
【背景技術】
【０００２】歯科医療において歯のエックス線撮影をする場合、口内法で記録媒体を口内に入れて撮影する際、その記録媒体を唾液から保護するために保護材を被せていた。
【考案の概要】
【考案が解決しようとする課題】
【０００３】歯の全体像を把握するためには撮影を複数回しなければならない。撮影は各所ごとに行い、都度、記録媒体を出し入れし新しい保護材を被せる。記録媒体に保護材を被せて口内に入れ、暫く留めさせての撮影の繰り返しは大人でも違和感があり不快でもある。ましてや口の小さい子供、口を大きく開けにくい老人では不快そのものである。また、エックス線撮影の特質上撮影時、患者以外の人物が撮影室に同室することが出来ず、子供が患者の場合、親が傍にいてなだめることも出来ない。そういう場合に本考案の保護材を使用すれば子供が嫌がるのを少しでも防ぐことが出来る。
【課題を解決するための手段】
【０００４】本考案は、記録媒体の保護材に味又は香り、又は両方を付着又は含有させ口内撮影時の違和感、不快感を少しでも紛らわせ、精神的苦痛を軽減しようとするものである。
【考案の効果】
【０００５】上述のように、本考案を歯科医療に使用すれば患者の精神的負担を少しでも軽減することが出来る。
【図面の簡単な説明】
【０００６】
【図１】  本考案の記録媒体保護材を使用している俯瞰図である。
【考案を実施するための形態】
【０００７】  本考案の記録媒体保護材を使用するに当たっては、従来の使用方法と同じである。
【実施例】
【０００８】  添付図のように記録媒体に本考案の保護材を被せて使用する。
【符号の説明】
【０００９】  １  本考案の記録媒体保護材
２  記録媒体
３  エックス線撮影機
４  歯
５  唇
【図１】
0003232306.tif 000003
【手続補正書】
【提出日】令和3年1月29日(2021.1.29)
【手続補正１】
【補正対象書類名】実用新案登録請求の範囲
【補正対象項目名】全文
【補正方法】変更
【補正の内容】
【実用新案登録請求の範囲】
【請求項１】
歯科医療において歯のエックス線撮影のための記録媒体を保護する保護材であって、前記保護材を被せた記録媒体を口内に入れて撮影する際、前記保護材に、味又は香り、又は両方を付着又は含有させることを特徴とする保護材。